(57)【要約】【課題】グループ管理機能に対応するＭＤ記録再生装置で記録されたＭＤ（ディスク）を、グループ管理機能に対応しないポータブルＭＤ機器で再生した際に、無意味且つ不要なグループ管理情報が表示されるのを阻止する。【解決手段】信号処理装置１１、ＭＤ駆動装置１２、マイコン等の制御部１３、メモリ１６、ユーザが入力操作するキー１７およびユーザとのインタフェースを行う表示部１８を備える。ＭＤ（ディスク）１２ａを、グループ管理機能を備えるＭＤ記憶再生装置１０から排出してグループ管理機能を備えないＭＤ機器に挿入して再生する場合には、ＭＤ１２ａの排出時にタイトルエアリアからグループ管理情報を除くと共にそれをメモリ１６に記憶保存し、必要時にそれを復元可能にする。【選択図】      図１
2004319020.tif 000002
【特許請求の範囲】
【請求項１】
グループ管理機能を備えるＭＤ記録再生装置により記録されたＭＤ（ディスク）を他のＭＤ装置にて再生するＭＤ記録再生方法において、
前記グループ管理機能を備えるＭＤ記録再生装置から前記ディスクを排出する際に、前記ディスクのタイトルエリアに記録された情報を書き換えることを特徴とするＭＤ記録再生方法。
【請求項２】
前記ディスクのタイトルエリアの情報を書き換えるか否かを選択可能としたことを特徴とする請求項１に記載のＭＤ記録再生方法。
【請求項３】
前記ディスクのタイトルエリアの情報は、内蔵するメモリに記憶保存され、後で復元可能にすることを特徴とする請求項１に記載のＭＤ記録再生方法。
【請求項４】
前記グループ管理機能を備えるＭＤ記録再生装置へ前記ディスクを戻して挿入する際に、前記メモリに記憶保存された情報を前記タイトルエリアに書き込むことを特徴とする請求項１又は２に記載のＭＤ記録再生方法。
【請求項５】
ＭＤ（ディスク）を挿入／排出して駆動するＭＤ駆動部、該ＭＤ駆動部への入出力データを処理する信号処理部、前記ディスクに記録された情報等を表示するディスプレイ、ユーザが入力操作するキーおよび動作制御する制御部を備え、前記ディスクのタイトルエリアにディスクタイトルおよびグループ管理情報を記録するグループ管理機能を有するＭＤ記録再生装置において、
前記ＭＤ駆動部から前記ディスクを排出するとき、前記ディスクのタイトルエリアに記録されたグループ管理情報を記憶保存するメモリを設け、前記ディスクの前記タイトルエリアから前記グループ管理情報を除去することを特徴とするＭＤ記録再生装置。
【請求項６】
前記ディスクのタイトルエリアの情報を書き換えるか否かを選択可能としたことを特徴とする請求項５に記載のＭＤ記録再生装置。
【請求項７】
前記制御部は、前記メモリに記憶されたグループ管理情報を、前記ディスクが前記ＭＤ記録再生装置に再度挿入されるとき、前記タイトルエリアに書き込むことを特徴とする請求項５に記載のＭＤ記録再生装置。
【請求項８】
前記制御部は、前記ディスクが戻されたとき、前記メモリに記憶保存されたグループ管理情報を消去することを特徴とする請求項５又は６に記載のＭＤ記録再生装置。
【発明の詳細な説明】
【０００１】
【発明の属する技術分野】
本発明はＭＤ（Ｍｉｎｉ  Ｄｉｓｃ）記録再生、例えば、ディスク（ＭＤ）に複数の音楽等を記録再生するＭＤ記録再生方法および装置に関する。
【０００２】
【従来の技術】
ＭＤは、直径６４ｍｍの音楽用光ディスクシステムであり、音響データ圧縮方式（ＡＴＲＡＣ）を採用して、一般に１時間以上の音楽情報（データ）の記録再生が可能である。直径１２ｃｍのＣＤ（Ｃｏｍｐａｃｔ  Ｄｉｓｃ）に比較して、小型であるので、ポータブル音響機器に好適であり、広く普及している。ＭＤ記録再生装置は、曲の属性（ディスク番号、曲番号、タイトルおよびアドレス等）でグループ登録を行い、グループ毎に再生可能にするものがある。ＭＤにおいては、ディスクタイトル部分にグループ管理情報を持たせ、グループ名やグループの再生等に使用している。
【０００３】
図６を参照して、従来のグループ管理機能を説明する。図６（Ａ）は、ＭＤにおける従来のグループ管理ディスクタイトルの１例を示す。この特定例では、「０；ａａａ／／１−１０；ｂｂｂ／／１１−２０；ｃｃｃ／／」である。このように、「／／」により、２０曲入りのディスクをグループ化していることを示す。すなわち、このグループ管理の意味は、図６（Ｂ）の説明図に示す如く、「；」までがディスクやトラック番号を意味し、その後ろの「／／」までがタイトルやグループ名を意味する。即ち、「０；ａａａ」は、ディスクが「０」でタイトルが「ａａａ」であり、「１−１０；ｂｂｂ」は、トラック番号「１−１０」が１つのグループで、そのグループ名が「ｂｂｂ」である。また、「１１−２０；ｃｃｃ」は、トラック番号「１１−２０」が他のグループで、そのグループ名が「ｃｃｃ」であることを示している。
【０００４】
尚、グループ化又はグループ情報として、トラック番号は、０〜２５５とする。また、グループ名のない予約グループ「；／／」、９９を超えるグループ、トラック番号「ｘ−ｘ」、重複したトラック番号およびディスク上にないトラック番号をグループ化すると、違反とする。そして、違反とされたディスクはグループなしと判断し、通常のディスクとして扱われる。
【０００５】
【発明が解決しようとする課題】
上述の如き従来のグループ管理は、グループ管理機能を装備したＭＤ記録再生装置のみで有効である。ＭＤ等の記録可能なメディアにおいては、家庭でユーザが据置型の高性能ＭＤ記録再生装置で録音し、屋外ではポータブル型ＭＤ機器（例えば、ＭＤ再生機）等でそれを再生して楽しむのが一般的である。据置型のＭＤ記憶再生装置は、グループ管理機能を備えるが、ポータブルＭＤ機器では、グループ管理機能に対応できないものが多い。そこで、タイトルによるグループ管理機能を持たせたディスク（ＭＤ）をグループ管理機能に対応していないＭＤ再生機で使用すると、グループ管理情報としてタイトルエリアに記録されている文字情報が表示されてしまい、ユーザにとってはグループ管理できないので無意味な表示が行われることとなり、使用上の不都合を生じるという課題があった。
【０００６】
【発明の目的】
本発明は、従来技術の上述した課題に鑑みなされたものであり、グループ管理機能を有するＭＤ録音再生機器で録音し、グループ管理機能を有しないＭＤ再生機で再生しても上述の如き不都合の生じない、ＭＤ記録再生方法および装置を提供することを目的とする。
【０００７】
【課題を解決するための手段】
前述の課題を解決するため、本発明によるＭＤ記録再生方法および装置は、次のような特徴的な構成を採用している。
【０００８】
（１）グループ管理機能を備えるＭＤ記録再生装置により記録されたＭＤ（ディスク）を他のＭＤ装置にて再生するＭＤ記録再生方法において、
前記グループ管理機能を備えるＭＤ記録再生装置から前記ディスクを排出する際に、前記ディスクのタイトルエリアに記録された情報を書き換えるＭＤ記録再生方法。
【０００９】
（２）前記ディスクのタイトルエリアの情報を書き換えるか否かを選択可能とした上記（１）のＭＤ記録再生方法。
【００１０】
（３）前記ディスクのタイトルエリアの情報は、内蔵するメモリに記憶保存され、後で復元可能にする上記（１）のＭＤ記録再生方法。
【００１１】
（４）前記グループ管理機能を備えるＭＤ記録再生装置へ前記ディスクを戻して挿入する際に、前記メモリに記憶保存された情報を前記タイトルエリアに書き込む上記（１）又は（２）のＭＤ記録再生方法。
【００１２】
（５）ＭＤ（ディスク）を挿入／排出して駆動するＭＤ駆動部、該ＭＤ駆動部への入出力データを処理する信号処理部、前記ディスクに記録された情報等を表示するディスプレイ、ユーザが入力操作するキーおよび動作制御する制御部を備え、前記ディスクのタイトルエリアにディスクタイトルおよびグループ管理情報を記録するグループ管理機能を有するＭＤ記録再生装置において、
前記ＭＤ駆動部から前記ディスクを排出するとき、前記ディスクのタイトルエリアに記録されたグループ管理情報を記憶保存するメモリを設け、前記ディスクの前記タイトルエリアから前記グループ管理情報を除去するＭＤ記録再生装置。
【００１３】
（６）前記ディスクのタイトルエリアの情報を書き換えるか否かを選択可能とした上記（５）のＭＤ記録再生装置。
【００１４】
（７）前記制御部は、前記メモリに記憶されたグループ管理情報を、前記ディスクが前記ＭＤ記録再生装置に再度挿入されるとき、前記タイトルエリアに書き込む上記（５）のＭＤ記録再生装置。
【００１５】
（８）前記制御部は、前記ディスクが戻されたとき、前記メモリに記憶保存されたグループ管理情報を消去する上記（５）又は（６）のＭＤ記録再生装置。
【００１６】
【発明の実施の形態】
以下、本発明によるＭＤ記録再生方法および装置の好適実施形態の構成および動作を、添付図面を参照して詳細に説明する。
【００１７】
先ず、図１は、本発明によるＭＤ記録再生装置の好適実施形態の全体構成を示すブロック図である。このＭＤ記録再生装置１０は、ＭＤ用ＡＴＲＡＣデジタル信号プロセッサ（以下、信号処理部という）１１、ＭＤスロットインメカ、ピックアップメカニズムおよびＲＦアンプ（以下、ＭＤ駆動部という）１２、マイコン（制御部）１３、アナログ・デジタル（Ａ／Ｄ）変換器１４、デジタル・アナログ（Ｄ／Ａ）変換器１５、メモリ（記憶部）１６、キー（入力操作部）１７および液晶表示パネル等のユーザインタフェースであるディスプレイ（表示部）１８により構成される。
【００１８】
信号処理部１１には、デジタル入力（音楽データ）が直接入力されると共に、アナログ入力は、Ａ／Ｄ変換器１４によりデジタル信号に変換されて入力され、必要なＡＴＲＡＣ処理を行う。ＭＤ駆動部１２は、ディスク（ＭＤ）１２ａを挿入するスロットを有し、信号処理部１１から入力されたデジタルデータをディスク１２ａに記録（録音）すると共に、ユーザの操作により記録されたデータを信号処理部１１に対して読み出す。信号処理部１１は、読み出されたデジタルデータを直接出力すると共に、Ｄ／Ａ変換器１５によりアナログ信号に変換して出力する。制御部１３は、ユーザによるキー１７の操作に基づき、信号処理部１１を制御する。メモリ１６は、必要なデータを記憶する。また、ディスプレイ１８は、ユーザのために読み出されたデータを表示する。
【００１９】
ユーザによるキー１７の操作に基づき、マイコン１３は、ＭＤ駆動部１２に装着されたディスク１２ａのタイトルエリアから音声信号（データ）、曲の情報、タイトル等を読み出す。これらの情報は、必要に応じてメモリ１６に記憶保存される。このメモリ１６に記憶された情報は、マイコン１３の制御下で読み出され、ディスプレイ１８に表示する。また、ＭＤ駆動部１２から読み出された音楽データは、信号処理部１１を介して直接又はＤ／Ａ変換器１５を介してアナログ信号に変換され（必要に応じてアンプで増幅され）スピーカ又はヘッドホン等へ出力される。
【００２０】
図２は、ディスク１２ａ上に記録されているディスクや曲のタイトルのＵＴＯＣ１の例を示す。即ち、セクタ番号７６−７７には、ディスク名が記録され、セクタ番号７９−５８７には、ディスク名又はトラック名が記録されている。このＵＴＯＣ１の情報に基づきディスクや曲のタイトルを読み出し、ディスプレイ１８に表示することが可能である。
【００２１】
尚、Ｐ−ＴＮＡは、曲のタイトルがディスク上の何処から始まるかを示すポインタであり、７６×４＋（Ｐ−ＴＮＡｎ）×８の式により、実際のアドレス等の記録エリアを求めることが可能である。ディスクタイトルは、始まる場所が常に決まっており、７６×４＋（０）×８（ディスク名）の位置から記録されている。Ｌｉｎｋ−Ｐは、タイトルの記録エリアが通常８バイト単位（Ｌｉｎｋ−Ｐを含めて）で確保されており、タイトルがそれ以上長くなる場合には、次の始まりを記述し、長いタイトルを分割して記録している。記録容量は、最大２５６（ディスクタイトル＋２５５トラックタイトル）×７＝１７９２バイトがタイトル記述エリアである。また、ＵＴＯＣ１は、カタカナおよびアルファベットエリアとして確保されているが、同様に漢字エリアとしてＵＴＯＣ４もディスク上には存在する。
【００２２】
次に、図３〜図５を参照して、本発明によるＭＤグループ記録再生装置１０の好適実施形態の動作を説明する。図３は、ディスク排出処理を説明するフローチャートである。ユーザがキー１７を操作してディスク排出要求すると、グループ管理情報を機器に記録する設定（即ち、ディスクタイトルからグループ管理情報を取り除いて排出する）にされているか否かを判断する（ステップＳ１）。設定されている場合（ステップＳ１：ＹＥＳ）には、現在のディスクタイトルにグループ管理情報を含んでいるか否か判断する（ステップＳ２）。グループ管理されているディスクである場合（ステップＳ２：ＹＥＳ）には、ディスクタイトルをＭＤ記録再生装置１０のメモリ１６に記憶する（ステップＳ３）。次に、タイトルエリアの記録データからグループ管理部分を取り除いたディスクタイトルのみをディスクに記録させる、即ちＵＴＯＣ１、４を書き換えてグループ管理情報を除く（ステップＳ４）。その後、ディスク排出動作を実行する（ステップＳ５）。
【００２３】
一方、上述したグループ記録設定の有無判断で、グループ設定なしと判断された場合（ステップＳ１：ＮＯ）には、直ちに上述したディスク排出動作を行う（ステップＳ５）。また、上述したタイトルエリアにグループ管理情報がない場合（ステップＳ２：ＮＯ）にも、ディスク排出動作を行い（ステップＳ５）、処理を終了する。
【００２４】
ここで、図４は、上述したＭＤ記録再生装置１０のメモリ１６に記憶されるグループデータの１例を示す説明図である。この特定例では、ディスクタイトルおよびグループ管理情報を分けてメモリ１６に記憶している。即ち、図４中には、ディスクタイトルである「ａａａ」、「ｄｄｄ」および「ｇｇｇ」と、それぞれ対応するグループ管理情報である「１−１０；ｂｂｂ／／１１−２０；ｃｃｃ／／」を分けている。しかし、グループ管理されていたときのディスクタイトルをそのまま記憶してもよい。また、関連付けをディスクタイトルとしているが、ディスクＩＤ（ＵＴＯＣ０と呼ばれるエリアに存在する）等のディスク固有の情報に基づき記憶してもよい。
【００２５】
次に、ＭＤ記録再生装置１０にディスクを挿入するディスク挿入処理を、図５のフローチャートに基づいて説明する。この処理は、ＭＤ記録再生装置１０のＭＤ駆動部１２のディスクスロットに挿入されるディスク１２ａが、以前にグループ管理情報を取り除いたディスクであるか否か判断し、該当する場合には、タイトルエリアをグループ管理情報のものに書き換える手順である。
【００２６】
先ず、ディスク１２ａがＭＤ駆動部１２のＭＤスロットに挿入されると、ディスクタイトルの有無を判断する（ステップＳ１１）。ディスクタイトルが存在する場合（ステップＳ１１：ＹＥＳ）には、ＭＤ記録再生装置１０のメモリ１６に記憶されているタイトルデータの有無を判断する（ステップＳ１２）。タイトルデータがある場合（ステップＳ１２：ＹＥＳ）には、グループ管理されている曲の有無を判断する（ステップＳ１３）。グループ管理されている曲がある場合（ステップＳ１３：ＹＥＳ）には、適当な表示、例えば「グループ情報があります。ディスクに反映しますか？」を、ＭＤ装置１０のディスプレイ１８に表示して、ユーザの注意を喚起する（ステップＳ１４）。ユーザがキー１７の操作で反映させたい場合（ステップＳ１４：ＹＥＳ）には、該当するグループ情報をＭＤ装置１０のメモリ１６から読み出し、ディスクタイトルに書き込む（ステップＳ１５）。ここで、メモリ１６の該当する情報を自動的又は手動で削除し、メモリ１６の記憶容量をセーブしてもよい。最後に、グループ動作処理（グループ再生やグループ編集等）を行い（ステップＳ１６）、ディスク挿入処理を終了する。
【００２７】
一方、上述したステップＳ１１、Ｓ１２およびＳ１３がＮＯの場合には、ＭＤ記録再生装置１０のディスプレイ１８に適当な表示、例えば「記録しているグループ管理情報に該当がありません」を表示する。そして、通常動作処理を行い（ステップＳ１８）、ディスク挿入処理を終了する。
【００２８】
上述の如く、本発明によると、グループ管理機能に対応していないＭＤ記録再生装置１０においては、ディスクタイトルにグループ管理情報が入っていても無意味であるため、グループ管理機能に対応しているＭＤ記録再生装置からディスクを排出するとき、タイトルエリアに記録されたグループ情報部分を取り除く。そして、ＭＤ記録再生装置１０が内蔵するメモリ１６にディスクタイトルやディスクＩＤ等のディスク固有の情報（例えば、ディスクタイトル）と共に記憶保存する。排出されるディスク１２ａには、ディスクタイトルのみを記録し、グループ管理情報は除かれるので、グループ管理機能を備えない又はグループ管理機能に対応していないＭＤ装置（例えば、ポータブルＭＤ再生機）でも違和感なく使用することが可能である。一方、グループ管理情報を取り除いたディスク１２ａを、再度グループ管理機能を備えるＭＤ記録再生装置１０に戻して（又は挿入して）使用される場合には、ディスクタイトルやディスクＩＤ等の照会によりメモリ１６に記憶保存されているグループ情報をタイトルエリアに書き戻す（又は復元する）。これにより、グループ管理情報を再度登録することなくグループ管理機能を使用することを可能にする。
【００２９】
以上、本発明によるＭＤ記録再生方法および装置の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００３０】
【発明の効果】
以上の説明から明らかな如く、本発明によると、次の如き実用上の顕著な効果が得られる。即ち、グループ管理機能を備える例えば据え置き型のＭＤ記録再生装置により記録されたＭＤ（ディスク）を、グループ管理機能を備えない例えばポータブルＭＤ機器で再生する場合に、意味のない且つ長くて見づらいディスクタイトル表示をなくし、意味のある情報（ディスクタイトル）のみを明瞭に表示することが可能である。
【００３１】
また、このディスクを、グループ管理機能を備えるＭＤ記録再生装置に戻す場合には、メモリから該当するグループ管理情報を読み出して復元することが可能である。更に、グループ管理情報が復元されると、メモリに記憶保存された情報を消去することにより、メモリ容量を不当に増加することなく有効利用することも可能である。
【図面の簡単な説明】
【図１】本発明のＭＤ記録再生装置の好適実施形態の全体構成を示すブロック図である。
【図２】ＭＤ（ディスク）のＵＴＯＣ１の構成図である。
【図３】図１に示すＭＤ記録再生装置のディスク排出処理を説明するフローチャートである。
【図４】図１中のメモリに記憶保存されるグループ情報の１例を示す図である。
【図５】図１に示すＭＤ記録再生装置のディスク挿入処理を説明するフローチャートである。
【図６】従来のグループ管理データを示し、（Ａ）はディスのタイトルエリアに記憶されるグループ管理ディスクタイトルの１例、（Ｂ）はその説明図である。
【符号の説明】
１０    ＭＤ記憶再生装置
１１    信号処理部（ＤＳＰ）
１２    ＭＤ駆動部
１２ａ  ＭＤ（ディスク）
１３    制御部（マイコン）
１６    メモリ
１７    キー（ユーザ操作部）
１８    ディスプレイ（表示部）
【図１】
2004319020.tif 000003
【図２】
2004319020.tif 000004
【図３】
2004319020.tif 000005
【図４】
2004319020.tif 000006
【図５】
2004319020.tif 000007
【図６】
2004319020.tif 000008